(57)【要約】  使い捨て吸収性物品において利用可能な、少なくとも１つの表示部材を有するトイレトレーニング準備表示手段。着用者がトイレトレーニングを受ける準備が整ったときに関する表示を介護者にする、トイレトレーニング準備表示手段。
2010519950.tif 000002
【特許請求の範囲】
【請求項１】
着用者の胴体下部周りで着用するのに適合した吸収性物品であって、前記吸収性物品がシャーシを備え、前記シャーシが、
ａ．トップシートと、
ｂ．前記トップシートの少なくとも一部分に取り付けられるバックシートと、
ｃ．前記トップシートと前記バックシートとの間に配置された吸収性コアと、
ｄ．前記シャーシに取り付けられるトイレトレーニング準備表示手段とを備え、前記表示手段が、着用者がトイレトレーニングを受ける準備が整ったときに関する表示を提供するよう適合される、吸収性物品。
【請求項２】
前記表示手段が、湿り事象の数を数えて提示する、請求項１に記載の吸収性物品。
【請求項３】
前記表示手段が、複数の表示部材を備え、第１湿り事象が、前記表示部材の１つ以上を活性化することができる、請求項１又は２に記載の吸収性物品。
【請求項４】
第２湿り事象が、前記表示部材の１つ以上を活性化することができる、請求項１〜３のいずれか一項に記載の吸収性物品。
【請求項５】
前記表示手段が、複数の表示部材を備え、第１湿り事象が、第１表示部材を活性化することができ、これにより、前記第１表示部材が、前記物品の第１区域において第１信号を提供する、請求項１〜４のいずれか一項に記載の吸収性物品。
【請求項６】
第２湿り事象が、第２表示部材を活性化することができ、これにより、前記第２表示部材が、前記物品の第２区域において第２信号を提供する、請求項１〜５のいずれか一項に記載の吸収性物品。
【請求項７】
前記表示手段が、開始時間から第１湿り事象までの時間の長さを測定する、請求項１〜６のいずれか一項に記載の吸収性物品。
【請求項８】
介護者又は着用者が、前記開始時間を開始する、請求項１〜７のいずれか一項に記載の吸収性物品。
【請求項９】
前記表示手段が、湿り事象が発生するまで変色するマーカーを備える、請求項１〜８のいずれか一項に記載の吸収性物品。
【請求項１０】
前記表示手段が、湿り事象が発生するまで前記表示手段を横切って移動するマーカーを備える、請求項１〜９のいずれか一項に記載の吸収性物品。
【請求項１１】
前記表示手段が、湿り事象が発生するまで出現又は消失する出現図柄又は消失図柄を備える、請求項１〜１０のいずれか一項に記載の吸収性物品。
【請求項１２】
トイレトレーニング準備の表示方法であって、前記方法が、
ａ．トイレトレーニング準備表示手段を備える吸収性物品を、着用者の胴体下部周りに配置する工程と、
ｂ．湿り事象が発生したかどうかを判断するために、着用中に前記吸収性物品をチェックする工程と、
ｃ．所定の期間内に発生した湿り事象の数、第１湿り事象までの時間、及び前記吸収性物品の区域にわたる前記表示手段の活性化の拡大からなる群から選択される信号に基づいて、前記着用者がトイレトレーニングの準備が整っているかどうかを判断する工程とを含む、方法。
【発明の詳細な説明】
【技術分野】
【０００１】
本発明は、トイレトレーニング準備表示手段を包含する、おむつ、パンツ、成人失禁用品などのような衛生的吸収性物品に関する。更に詳細には、本発明は、着用者がトイレトレーニングを受ける準備が整ったときに関する表示をするトイレトレーニング準備表示手段を有する、吸収性物品に関する。
【背景技術】
【０００２】
吸収性物品は、乳幼児及び失禁症者によって、身体排出物を受け入れて保持するために広く使用されている。湿り表示機構が設けられた多数の吸収性物品が、現在も利用可能である。しかしながら、これらの湿り表示は、着用者がトイレトレーニングを受ける準備が整ったときに関する情報を提供する点では、ほとんど機能できない。
【発明の概要】
【発明が解決しようとする課題】
【０００３】
したがって、着用者がトイレトレーニングを受ける準備が整ったときに関する表示をする信号を介護人に提供できる、吸収性物品の必要性がある。
【課題を解決するための手段】
【０００４】
本発明は、着用者の胴体下部周りで着用するのに適合した、トイレトレーニング準備表示手段を有する吸収性物品に関する。吸収性物品は、シャーシを含み、トップシート、トップシートの少なくとも一部に取り付けられるバックシート、及びトップシートとバックシートの間に配置された吸収性コアを包含する。
【０００５】
トイレトレーニング準備表示手段は、シャーシに取り付けられ、表示部材を含む。表示部材は、乾燥時に可視信号を提供し、活性化されたときに異なる信号を提供するか又は消失することができ、表示部材はまた、乾燥時に信号を提供せず、活性化されたときに信号を提供してもよく、表示部材はまた、乾燥した状態及びぬれた状態のときに同一の信号を提供するが、拡大移動線を更に包含してもよく、表示部材はまた、可視信号ではなく、質感信号を提供してもよい。
【０００６】
一実施形態では、それぞれの連続的な湿り事象によってより多くの表示手段が活性化されるように、１つ以上の表示手段を含む領域が存在してよい。
【０００７】
一実施形態では、吸収性物品は、着用者に面する表面及び衣類に面する表面、長手方向軸及び横方向軸、並びに前側腰部区域、後側腰部区域、及び前側腰部区域と後側腰部区域の間に配置された股部区域を有する、使い捨てプルオン型おむつ又はパンツである。前側腰部区域と後側腰部区域は結合されて、腰部開口及び脚部開口を形成する。
【０００８】
使い捨てプルオン型おむつは更に、トップシート、及びトップシートの少なくとも一部に取り付けられるバックシートを含む。バックシートは、内側表面及び外側表面を有する。吸収性コアが、トップシートの少なくとも一部とバックシートの間に配置される。
【０００９】
トイレトレーニング準備表示手段は、バックシートの内側表面、又はコア、トップシートなどに取り付けられ、トイレトレーニング準備表示手段は、乾燥時に可視信号を提供するとともに、湿り事象を経験するときに異なる信号を提供する、表示部材を含む。
【図面の簡単な説明】
【００１０】
【図１】本発明によるトイレトレーニング準備表示手段を含む、平らな非収縮状態における使い捨て吸収性物品の切欠図。
【図２Ａ】表示部材の実施形態。
【図２Ｂ】表示部材の実施形態。
【図２Ｃ】表示部材の実施形態。
【図３Ａ】表示部材の実施形態。
【図３Ｂ】表示部材の実施形態。
【図３Ｃ】表示部材の実施形態。
【図４Ａ】表示部材の実施形態。
【図４Ｂ】表示部材の実施形態。
【図４Ｃ】表示部材の実施形態。
【図５Ａ】表示部材の実施形態。
【図５Ｂ】表示部材の実施形態。
【図５Ｃ】表示部材の実施形態。
【図６Ａ】表示部材の実施形態。
【図６Ｂ】表示部材の実施形態。
【図６Ｃ】表示部材の実施形態。
【図６Ｄ】表示部材の実施形態。
【図７】複数個の表示部材を包含する図１のトイレトレーニング準備表示手段の実施形態。
【図８Ａ】パンツ型吸収性物品における図１のトイレトレーニング準備表示手段の異なる実施形態。
【図８Ｂ】パンツ型吸収性物品における図１のトイレトレーニング準備表示手段の異なる実施形態。
【図８Ｃ】パンツ型吸収性物品における図１のトイレトレーニング準備表示手段の異なる実施形態。
【図９Ａ】図８Ａの表示部材の実施形態。
【図９Ｂ】図８Ｃの複数の表示部材の別の実施形態。
【図１０Ａ】トイレトレーニング準備表示手段の別の実施形態を示す正面図。
【図１０Ｂ】それぞれ、第１湿り事象及び第２湿り事象の後の図１０Ａのトイレトレーニング準備表示手段を示す正面図。
【図１０Ｃ】それぞれ、第１湿り事象及び第２湿り事象の後の図１０Ａのトイレトレーニング準備表示手段を示す正面図。
【発明を実施するための形態】
【００１１】
本明細書で使用するとき、次の用語は次の意味を有する。
【００１２】
用語「吸収性物品」は、本明細書で使用するとき、身体排出物を吸収して封じ込める装置を指し、より具体的には、着用者の身体に当てて又は近接して配置され、身体から排出される様々な排出物を吸収して封じ込める装置を指す。用語「使い捨て」は、本明細書において、洗濯する、ないしは別の方法で吸収性物品として復元するか再利用することを一般に意図されない（即ち、単一回の使用の後で廃棄する、好ましくはリサイクルする、堆肥化する、ないしは環境に適合する方法で廃棄することを意図される）吸収性物品を説明するために使用される。本発明はまた、失禁用ブリーフ、失禁用下着、吸収性挿入物、おむつホルダ及びライナー、女性用生理衣類、包帯など、他の着用可能な吸収性物品にも適用可能である。
【００１３】
用語「活性化する」は、本明細書で使用するとき、意図される作用又は効果を作り出すことを意味するものとする。用語「活性化する」と結合されたいかなる用語も、適切な活用形態で上記意味を保つものとする。加えて、用語「活性化」は、意図される作用又は効果を作り出す動作を指すものとする。
【００１４】
用語「取り付けられる」は、要素を互いに及びその構成材料に取り付けるのに適したいずれかの方法による、締着、接着、結合などによって、要素が接続又は合体されることを指す。接着剤結合、圧力接着、熱接着、機械的締着など、要素を互いに取り付けるための多くの好適な方法が周知である。そのような取付け方法を使用して、要素を、特定の領域にわたって連続的に又は断続的に互いに取り付けてもよい。
【００１５】
用語「おむつ」は、本明細書で使用するとき、一般に乳幼児及び失禁症者が腰及び脚を囲むように胴体下部周りで着用し、並びに尿及び糞便排泄物を受容して収容するように特に適合されている吸収性物品を指す。用語「おむつ」は、本明細書で使用するとき、以下で定義されている「パンツ」も包含する。
【００１６】
用語「異なる」は、本明細書で使用するとき、可視信号の文脈で使用するときに、前の表示の色、コントラスト、色調、形状、大きさ、距離、場所など、又はこれらの組み合わせの、後の表示へのいずれかの変化を意味する。
【００１７】
用語「配置された」は、本明細書で使用するとき、一体構造の中の特定の場所又は位置で他の要素に取り付けられて配置された要素を指す。
【００１８】
用語「長手方向」は、物品の腰部縁から対向する腰部縁まで走り、及び物品の最長直線の長さに対して概ね平行な方向を指す。長手方向の±４５°以内の方向は、「長手方向」であると見なされる。
【００１９】
用語「横方向」は、物品の側縁部から対向する側縁部まで走り、及び長手方向に対して概ね直角であって長手方向と同一平面内にある、方向を指す。横方向の±４５°以内の方向は、「横方向」であると見なされる。
【００２０】
用語「直交方向」は、「長手方向」及び「横方向」が存在する平面に対して概ね直角である、方向を指す。直交方向の±８０°以内の方向は、「直交方向」であると見なされる。
【００２１】
用語「水分」は、本明細書で使用するとき、水、尿、又は糞便を包含するが、これらに限定されない。水分は、液体又は蒸気状態とすることができる。
【００２２】
用語「パンツ」又は「トレーニングパンツ」は、本明細書で使用するとき、乳幼児又は成人の着用者のために設計された、腰部開口及び脚部開口を有する使い捨て衣類を指す。パンツは、着用者の脚を脚部開口に挿入し、パンツを着用者の胴体下部周りの位置にまで滑らせることによって着用者の所定位置に配置されてよい。パンツは、いかなる好適な技法によって予形成されてもよく、これには再締結可能及び／又は再締結不可能な結合（例えば、縫い目、溶着、接着剤、粘着剤ボンド、締結具など）を用いて物品の一部を互いに接合することが挙げられるが、これらに限定されない。パンツは、物品の周囲に沿ういずれかの箇所で、（例えば、側面固定されて、前腰部固定されて）予形成されてよい。用語「パンツ（単数又は複数）」が本明細書で使用されるが、パンツはまた、「閉止おむつ」、「予締結おむつ」、「プルオン型おむつ」、「トレーニングパンツ」、及び「おむつパンツ」とも一般に呼ばれる。好適なパンツが、米国特許第５，２４６，４３３号明細書（ハッセ（Hasse）ら、１９９３年９月２１日発行）、米国特許第５，５６９，２３４号明細書（ブエル（Buell）ら、１９９６年１０月２９日発行）、米国特許第６，１２０，４８７号明細書（アシュトン（Ashton），２０００年９月１９日発行）、米国特許第６，１２０，４８９号明細書（ジョンソン（Johnson）ら、２０００年９月１９日発行）、米国特許第４，９４０，４６４号明細書（バン・ゴンペル（Van Gompel）ら、１９９０年７月１０日発行）、米国特許第５，０９２，８６１号明細書（ノムラ（Nomura）ら、１９９２年３月３日発行）、米国特許出願公開２００３／０２３３０８２（Ａ１）号、名称「高可撓性及び低変形性締着装置（Highly Flexible And Low Deformation Fastening Device）」（２００２年６月１３日出願）、米国特許第５，８９７，５４５号明細書（クライン（Kline）ら、１９９９年４月２７日発行）、米国特許第５，９５７，９０８号明細書（クライン（Kline）ら、１９９９年９月２８日発行）に開示されている。
【００２３】
用語「妨害する」は、他の場合には見える信号を見ることを、妨げる又は遅らせることを意味する。
【００２４】
用語「浸透性の」及び「不浸透性の」は、使い捨て吸収性物品の意図された使用に関連する材料の浸透可能性を指す。具体的には、用語「浸透性の」は、強制圧力がなくても液体水がその厚さを通過可能である、孔若しくは開口部を有する層又は層状構造を指す。それとは逆に、用語「不浸透性の」は、強制圧力がなくては液体水がその厚さを通過不能である、層又は層状構造を指す。当該技術分野において周知のように、材料の浸透性を測定するために吸収性物品にて通常使用される一般的な方法は、静水圧試験であり、静水頭試験又は単に「水頭」試験とも呼ばれる。水頭試験のための好適な周知の簡潔な方法が、ＩＮＤＡ（元国際不織布及び使い捨て用品協会（International Nonwovens and Disposables Association）、現在の不織布工業協会（Association of the Nonwoven Fabrics Industry））及びＥＤＡＮＡ（欧州使い捨て用品及び不織布協会（European Disposables And Nonwovens Association））によって承認されている。
【００２５】
本発明は、トイレトレーニング準備表示手段を含む使い捨て吸収性物品である。トイレトレーニング準備表示手段は、多数の異なる吸収性物品において利用できる。例えば、使い捨ておむつにおいて、トイレトレーニング準備表示手段は、湿り事象の数を数えることによって、湿り事象の表示を与えることによって、あるいは第１湿り事象までの時間を表示することによって、着用者の尿又は排便の傾向に関する有用な情報を介護人に提供できる。別の例として、生理用品において、トイレトレーニング準備表示手段は、経血事象の数を数えることができる。実際には本発明のトイレトレーニング準備表示手段は、多数の異なる吸収性物品に組み込むことができるものであるが、説明のために、本発明をおむつに関連させて説明する。しかしながら、類似実施形態のものが、これまでに記述した吸収性物品中で利用可能である。
【００２６】
本発明は、子供がトイレトレーニングを受ける準備が身体的に整ったときを介護人が判断するのを補助することによって、子供のトイレトレーニングによりよく役立つ、トイレトレーニング準備表示手段に関する。トイレトレーニングの準備は、しばしば、子供がより長い期間にわたってお漏らししないことによって示される。子供がおむつを濡らした場合に介護人に知らせるだけの現行のトレーニングパンツとは異なり、トイレトレーニング準備表示手段は、湿り事象の数を数えて提示するために使用されてもよい。トイレトレーニング準備表示手段はまた、おむつが当てられたあとに乾燥状態を維持した時間の長さを測定して提示するために使用されてもよい。このように、トイレトレーニング準備表示手段は、排尿事象の数及び／若しくは第１湿り事象までの時間の長さの両方を測定するために、並びに／又は湿り事象の表示を提供するために使用されてよい。
【００２７】
本発明のトイレトレーニング準備表示手段は、時間流れ測定手法、表示方法、クロマトグラフィー方法、封入方法、及びポップアップ方法を包含するが、これらに限定されない種々の手法及び機構を通じて測定されてよい。時間流れの手法は、第１湿り事象までに経過した時間の長さを介護人に表示する。この表示方法は、湿り事象が発生した回数及びそれぞれの湿り事象に伴う排尿の量を判断する際に、介護人を支援する。クロマトグラフィー方法、封入方法、及びポップアップ方法は全て、介護人が湿り事象の数を数えることのできる様々な方法である。前述の方法のそれぞれについて、本明細書で更に詳細に説明する。
【００２８】
図１は、本発明のおむつ２０の平らに広げられた未収縮状態の平面図であり、構造の一部分が切り欠かれておむつ２０の構造をより明瞭に示している。おむつ２０の着用者に面する部分が手前に向いている。図１に示すように、おむつ２０は、トップシート２４、バックシート２６、及びトップシート２４の少なくとも一部とバックシート２６との間に配置された吸収性コア２８を含む。吸収性物品は更に、サイドパネル３０、弾性脚部カフス３２、弾性的ウエスト機構３４、及び全体的に４０で表される締着装置を含む。おむつ２０は、第１腰部区域３６、第１腰部区域３６に対向する第２腰部区域３８、及び第１腰部区域３６と第２腰部区域３８の間に位置する股部区域３７を有する。おむつ２０の周辺は、おむつ２０の外側縁部によって画定されており、長手方向縁部５０が、おむつ２０の長手方向中心線１００に対して概ね平行に延び、末端縁部５２が、おむつ２０の横方向中心線１１０に対して概ね平行に長手方向縁部５０の間を延びている。
【００２９】
おむつ２０は、着用者がトイレトレーニングを受ける準備が整ったときに関する表示をする信号を提供することのできる、トイレトレーニング準備表示手段６０を更に含む。例えば、その信号は、着用者が排尿した回数又は第１湿り事象までの時間の長さの可視表示であり得る。別の例では、その信号は、着用者が排尿した回数と組み合わせで又はこれとは独立に、着用者が排便した回数の可視表示とすることができる。可視表示の代わりに又はこれと組み合わせで、その信号は、可聴、触覚、又は臭覚表示、又はこれらのいずれかの組み合わせとすることができる。説明のために、本明細書で述べる実施形態に関して、可視表示を取り上げる。
【００３０】
トイレトレーニング準備表示手段６０は、着用者からの排出物と接触する可能性のある吸収性物品内のいかなる箇所に位置付けられてもよい。例えば、一実施形態では、トイレトレーニング準備表示手段６０は、尿負荷点と連通する物品の部分（即ち、尿が通常物品を汚損する位置、例えば物品の股部区域３７内の物品の長手方向中心線１００近辺など）に位置付けることができる。別の実施形態では、トイレトレーニング準備表示手段６０は、尿負荷点から遠く離れて位置付けられてもよく、水分を尿負荷点からトイレトレーニング準備表示手段６０へ移送する中間ウィッキング部材を含んでもよい。
【００３１】
加えて、トイレトレーニング準備表示手段６０は、物品のいかなる構成要素に取り付けられてもよいが、尿負荷点と連通すべきである。例えば、トイレトレーニング準備表示手段６０は、トップシート２４、吸収性コア２８、又はバックシート２６に取り付けられてもよい。一実施形態では、トイレトレーニング準備表示手段６０は、トップシート２４と吸収性コア２８との間に配置されて、例えば物品内部の検査を可能にするために腰縁部が着用者の身体から引き離されるとき、トップシートを通して目に見える信号を提供する。別の実施形態では、トイレトレーニング準備表示手段６０は、トイレトレーニング準備表示手段によって提供される信号がバックシートの少なくとも一部分を通して見えるように、バックシート２６と吸収性コア２８との間に配置されてよい。更に別の実施形態では、トイレトレーニング準備表示手段６０は、物品を着用者から取り外すことなく信号が見えるように表示手段を露出するために、物品のパッチ又は一部が永久的に又は一時的に引き離し可能であるような方法で、物品上に配置されてよい。更に別の実施形態では、介護人によって吸収性物品に付加される別個の要素、例えば、おむつを着用者に当てる前に介護人によりおむつ２０の要素に（例えば接着剤、機械的締結具、摩擦などを介して）固着されるおむつインサート又は他の担体要素は、トイレトレーニング準備表示手段６０を含んでよい。
【００３２】
時間流れ方法
時間流れ測定手法では、タイマー表示手段が、設定開始時間から第１湿り事象までの時間の長さを測定する。この機構では、開始時間は、介護人又は着用者による特定の事象により開始されてよい。開始時間の開始は、これに限定されるものではないが、表示手段から保護ストリップを取り外すこと又は表示手段を圧迫することなどの行動を介護人が起こすことにより生じてよい。時間流れ方法の一例としては、移動線が挙げられる。時間流れ方法の他の例としては、出現するか又は消失する図柄及び色彩変化（即ち、ある色彩から異なる色彩へ、ある色彩から黒色又は白色へ、黒色又は白色からある色彩へ、ある色彩から透明へ、透明からある色彩へ、黒色又は白色から透明へ、透明から黒色又は白色へ）が挙げられるが、これらに限定されない。
【００３３】
移動線の実施例では、時が経つにつれて、色付きのバーが左から右へ移動する。市販製品の例としては、３Ｍ（ミネソタ州）のモニターマーク（MonitorMark）（商標）時間温度表示手段（Time Temperature Indicators）、又はタイムストリップ（Timestrip）社（英国）からのタイムストリップ（Timestrip）（登録商標）スマートラベルズ（Smart Labels）が挙げられる。湿り事象が発生するとき、時間線の移動は、尿、又は水、イオン、ｐＨなどのような尿の構成要素／特性との接触時にゲル化する液体（例えばペクチン又はアルギン酸）のような機構により停止してよい。時間線の移動はまた、尿との接触時に膨張し、結果として移動線の液体が更に流動するのを防ぐ基材の使用により停止してもよい。
【００３４】
例えば、図２Ａ〜Ｃは、時間流れ方法のトイレトレーニング準備表示手段６０を有するおむつ２０を示している。図２Ａは、移動線表示手段を描写しており、図２Ｂは、時間が「０」又は開始時間であることを表示する、おむつ２０上の移動線の図を描写しており、図２Ｃは、時間が「０」をいくらか過ぎていることを表示する、おむつ２０上の移動線の図を示している。
【００３５】
表示方法
湿り事象の数を測定するための機構として、表示方法が挙げられる。この機構では、第１区域は、第１事象に伴い外観を変化させることができる（色彩変化、出現する／消失する図柄）。第２区域は、子供の位置によっては第１区域と重なり合う場合もあれば重なり合わない場合もあり、第２事象に伴い外観を変化させることができる。この区域の正確な寸法は、尿の量、吸収材料の量若しくは性質、及び子供の位置に依存する。それぞれの区域は、１つ以上の表示部材を包含してもよい。その結果、それぞれの連続的な湿り事象によって、より多くの表示手段が活性化される。第１湿り事象に伴い１つ以上の湿り表示手段が活性化されるとき、活性化される湿り表示手段の区域の量は、尿の量及び子供の位置によって決定される。第２湿り事象は、第２湿り事象の後に追加の湿り表示手段を活性化する、といったことである。この方法には、より多くの区域が変化して排尿事象の数及び寸法を表示しているかどうかを確かめるために、時が経つにつれて、親が製品をチェックするプロセスが含まれていてよい。
【００３６】
例えば、図３Ａ〜Ｃは、表示方法のトイレトレーニング準備表示手段６０を有するおむつ２０を示している。図３Ａは、時間が「０」又は開始時間であることを表示する、おむつ２０上の表示方法の表示手段であり、図３Ｂは、少なくとも１回の湿り事象が発生したことを表示する、おむつ２０上の表示方法の表示手段を示しており、図３Ｃは、少なくとも２回以上の湿り事象が発生したことを表示する、おむつ２０上の表示方法の表示手段を示す。
【００３７】
クロマトグラフィー方法
排尿事象の数を測定するための機構としては、クロマトグラフィー方法が挙げられる。クロマトグラフィー方法の一例は、湿り事象のたびに新しい環を提示することである。環の総数は、湿り事象の総数に等しい。この技術は、典型的な染料及びクロマトグラフィー紙に基づくものである。この機構は、複数の環を生じるために、毎回の排尿事象後に基材内に染料を捕捉する技術を利用している。クロマトグラフィー方法の他の例としては、湿り事象のたびに色彩変化又は出現する図柄が挙げられるが、これらに限定されない。
【００３８】
例えば、図４Ａ〜Ｃは、クロマトグラフィー方法のトイレトレーニング準備表示手段６０を有するおむつ２０を示している。図４Ａは、ゼロ（０）回の湿り事象が発生したときの、おむつ２０上のクロマトグラフィー方法の表示手段を描写しており、図４Ｂは、１回の湿り事象が発生したときの、おむつ２０上のクロマトグラフィー方法の表示手段を示しており、図４Ｃは、２回の湿り事象が発生したときの、おむつ２０上のクロマトグラフィー方法の表示手段を示している。
【００３９】
封入方法
排尿事象の数を測定するための別の機構としては、封入方法が挙げられる。封入方法の一例において、表示手段は、排尿事象のたびに異なる色彩象徴を提示してよい。例えば、第１湿り表示手段は１つの色彩から始まってもよく、第１湿り事象が第１湿り表示手段を異なる色彩に変え、追加の湿り事象のたびに第２湿り表示手段を第２の異なる色彩に変えてよい。この機構の別の実施形態では、湿り表示手段が１つだけでよく、湿り事象のたびに同一の表示手段を異なる色彩に変わってよい。更に、別の実施形態では、１を超える表示手段が存在してよく、この場合、第１表示手段は、第１湿り事象に伴い変色し、第２表示手段は、第２湿り事象に伴い変色する。別の実施形態では、表示手段は、湿り事象のたびに変色しないが、表示手段の寸法の増大などの異なる信号を提供してよい。前述の例のそれぞれにおいて、信号は、色彩変化以外の機構により達成されてよい。これら機構としては、増大する表示手段又は変化する図柄を挙げてよいが、これらに限定されない。
【００４０】
封入方法技術は、湿り事象に露出された後に時が経つにつれてゆっくりと分解する保護層内に、複数層の染料を封入することに基づくものである。その結果、排尿事象のたびに、一色の染料のみを放出することができる。
【００４１】
例えば、図５Ａ〜Ｃは、封入方法のトイレトレーニング準備表示手段６０を有するおむつ２０を示している。図５Ａは、ゼロ（０）回の湿り事象が発生したときの、おむつ２０上の封入方法の表示手段を描写しており、図５Ｂは、１回の湿り事象が発生したときの、おむつ２０上の封入方法の表示手段を示しており、図５Ｃは、２回以上の湿り事象が発生したときの、おむつ２０上の封入方法の表示手段を示している。
【００４２】
ポップアップ方法
この方法では、湿り事象によって、表示手段は膨張及び／又はポップアップし、湿り事象が発生したことを表示してもよい。例えば、第１湿り事象によって、第１表示手段はトップ又はバックシートに接触するように膨張又はポップアップし、第１湿り事象の視覚的又は触覚表示を提供してよい。同様に、第１湿り事象によって、第１表示手段はトップ又はバックシートから離れるように移動し、消失する図柄のような働きをすることができる。第１表示手段が膨張及び／又はポップアップした後、第２湿り表示手段の露出をもたらす事象があってもよく、これが第２湿り表示手段の活性化を可能にする。この事象としては、第２表示手段の周りで脆弱な保護シールを破壊することを挙げてよい。その結果、第２湿り事象は、第２表示手段を活性化し、第３表示手段などを露出させる。
【００４３】
例えば、図６Ａ〜Ｄは、ポップアップ方法のトイレトレーニング準備表示手段６０を有するおむつ２０を示している。図６Ａは、ポップアップ表示手段を描写しており、図６Ｂは、ゼロ（０）回の湿り事象が発生したときの、おむつ２０上のポップアップ方法の表示手段を描写しており、図６Ｃは、１回の湿り事象が発生したときの、おむつ２０上のポップアップ方法の表示手段を示しており、図６Ｄは、２回の湿り事象が発生したときの、おむつ２０上のポップアップ方法の表示手段を示している。
【００４４】
表示手段の技術
前述のトイレトレーニング準備表示手段の手法及び機構には、様々な技術を利用してよい。これら技術の多くが、米国特許出願第１１／１００，６５３号及び同第１１／４００，６３３号に記載されている。
【００４５】
例えば、図７は、トイレトレーニング準備表示手段に利用されてよいウィッキング部材７１２を示している。表示装置７００は、ウィッキング部材７１２、第１移送部材７２０、及び第２移送部材７３０を含んでよい。第１湿り事象が生じると、水分源７１０が作り出され、これにより、ウィッキング部材７１２中の開口部７１４に水分が供給される。水分源７１０からの水分は、ウィッキング部材７１２中の開口部７１４に入ることができる。第１移送部材７２０は、ウィッキング部材７１２と連通していて、水分がウィッキング部材７１２を通って第１移送部材７２０へ吸い上げ可能になっている。ウィッキング部材７１２中の水分が第１移送部材７２０に到達すると、水分は、第１移送部材７２０を活性化する。
【００４６】
第１移送部材７２０が活性化すると、第１湿り事象の可視的及び／又は触覚表示が提供される。加えて、第１移送部材７２０は、水分源７１０からの水分を吸収してよい。水分源７１０からの水分を吸収することによって、第１移送部材７２０は、水分が第２移送部材７３０を時期尚早に活性化するのを妨げることができる。第１移送部材７２０は、水分源７１０からの全ての水分を吸収すると、完全に飽和するような大きさにすることができる。加えて、第１移送部材７２０は、第１移送部材７２０がウィッキング部材７１２内からの水分を吸収するような大きさにされてよい。
【００４７】
引き続く湿り事象で、水分源７１０は、水分を再供給される。水分が、水分源７１０により提供され、これにより、ウィッキング部材７１２を通って吸い上げられる。加えて、水分は、第１移送部材７２０を通って、第２移送部材７３０へ移送可能である。第２移送部材７３０は、ウィッキング部材７１２と連通していて、第１移送部材７２０から移送された水分が第２移送部材７３０に向かって吸い上げられる。第２湿り事象からの水分が、第２移送部材７３０を活性化し、これにより、第２移送部材７３０は、第２湿り事象の可視表示を提供する。
【００４８】
別の方法としては、第１移送部材７２０は、水分源７１０からの水分が吸収された後でさえも水分がウィッキング部材７１２の中に残るような大きさにされてよい。水分源７１０が枯渇した後でさえも、ウィッキング部材７１２内の水分は、メニスカス効果のために残ることができる。引き続く湿り事象時に、水分源７１０が再び満たされて、ウィッキング部材７１２内の水分が第２移送部材７３０に向かって前進できるようになる。
【００４９】
第１及び第２移送部材は、界面活性剤、乳化剤、ワックス、ＡＧＭ、スポンジ、粘土、ヒドロゲル、流体安定化凝集体、及び大表面積高分子発泡体、並びにこれらの混合物を含んでよい。本発明で使用するのに好適な大表面積発泡体が、米国特許第５，３８７，２０７号明細書、同第５，６５０，２２２号明細書、同第６，０１３，５８９号明細書、及び同第６，０８３，２１１号明細書に更に記載されている。第１移送部材７２０及び第２移送部材７３０は、これまでの説明のような、反応性要素若しくは反応性層、又は表示部材のいずれかの構成成分を含んでよい。反応性要素は、第１移送部材７２０及び第２移送部材７３０が湿り事象の可視表示を提供可能にすることができる。例えば、移送部材７２０、７３０は、水分と接触した後で変色するｐＨ指示薬を含んでよい。
【００５０】
好適なＡＧＭが、米国特許出願第１０／９５０，０１１号、名称「実質的に非共有結合の表面コーティングを有する超吸収性ポリマーを含む吸収性物品（Absorbent Articles Comprising Superabsorbent Polymer Having a Substantially Non-covalently Bonded Surface Coating）」（ベルダ（Beruda）ら、２００４年９月２４日出願）、米国特許出願第１０／９４１，６７２号、名称「超吸収体を有する流体獲得域を含む吸収性物品（Absorbent Articles Comprising Fluid Acquisition Zones with Superabsorbent）」（ベルダ（Beruda）ら、２００４年９月１５日出願）、及び特開２００４−１０５１１８号公報、名称「水性液吸収剤及びその生産方法（An Aqueous-Liquid-Absorbing Agent and Its Production Process）」（日本触媒株式会社（Nippon Shokubai Co. Ltd.）、２００４年３月３１日出願）に更に記載されている。
【００５１】
ウィッキング部材７１２は、単一の流路を含んでも、複数の流路を含んでもよい。ウィッキング部材７１２は、１つの毛管チューブを含んでも、複数の毛管チューブを含んでも、又は吸い上げストリップを含んでもよい。単一のチューブ又は複数のチューブは、蒸気不透過性であってよい。第１移送部材７２０及び第２移送部材７３０は、ウィッキング部材７１２内に配置されてよい。あるいは、ウィッキング部材７１２は、水分源７１０から第１移送部材７２０まで延びる第１部分と、第１移送部材７２０から第２移送部材７３０まで延びる第２部分とを含んでよい。
【００５２】
別の実施形態では、第１移送部材７２０は、水分源７１０からの水分を吸収するように選択され、過剰の水分がウィッキング部材７１２を通って第２移送部材７３０へ移動できないように大きさが拡大してよい。次に、第１移送部材７２０は、吸収した水分を脱着して、乾ききってよい。乾ききると、第１移送部材７２０は、次の再湿り時に水分がその中を通過可能な割れ目をそこに形成することができる。したがって、第２湿り事象が生じると、水分が、第１移送部材７２０内の割れ目を通って第２移送部材７３０へ移動して、これを活性化してよい。
【００５３】
この実施形態の場合、ウィッキング部材７１２は、蒸気透過性のチューブ又は複数のチューブを含んでよい。ウィッキング部材７１２が蒸気透過性であると、第１移送部材７２０が第１湿り事象から吸収した水分を脱着可能にすることができる。あるいは、ウィッキング部材７１２は、吸収性物品の他の区域からの水分がウィッキング部材７１２を間違って濡らしてウィッキング部材７１２に沿う更なる流れを引き起こすのを防ぐために、疎水性コーティングで覆われてもよい。
【００５４】
この実施形態に関しては、ウィッキング部材７１２は、水に不溶性の蒸気透過性材料とすることができる。好適な例には、ミクロ孔質フィルム、又は米国特許出願１０／８４４，１８２号、名称「蒸気透過性で液体バリアの層を含む通気性吸収性物品及び複合物（Breathable Absorbent Articles and Composites Comprising A Vapor Permeable, Liquid Barrier Layer）」（２００４年５月１２日出願）にて更に説明されているような蒸気透過性のバリア層がある。ウィッキング部材７１２は、当該技術分野で既知であって、この実施形態で作用可能な、いかなる蒸気透過性材料も含んでよい。
【００５５】
この実施形態に関して、第１移送部材７２０及び第２移送部材７３０に好適な材料は、水分を吸収して、乾ききったときに浸透性を増大する、この実施形態で作用可能な、当該技術分野において既知のいずれかの材料である。第１移送部材７２０及び第２移送部材７３０はまた、先の説明のように粘土を含んでよい。上記の実施形態には、追加の移送部材が付加できることに留意されたい。
【００５６】
別の実施形態では、第１移送部材７２０は、水分との接触の後で変色するｐＨ指示薬又は表示構成成分を含有してよい。この実施形態では、第１移送部材７２０は、ウィッキング部材７１２に沿う更なる尿移動を妨げることができ、第１排尿事象からの尿との接触の後で徐々に溶解することができる。例えば、第１移送部材７２０は、第１湿り事象中に水分の吸い上げを停止する能力を有するように、最適な親油性／親水性比のエトキシ化アルコール界面活性剤であってよい。しかしながら、第１湿り事象の後では、第１移送部材７２０は、完全に溶解することができ、これにより、ウィッキング部材７１２を第２湿り事象からの水分に対して準備する。
【００５７】
別の実施形態では、第１移送部材７２０は、水分源７１０からの水分を吸収すると最適時間枠で気泡を発して、ｐＨ変化と移送部材７２０の分解の両方を引き起こすように選択されてもよい。クエン酸のような酸などを使用し、炭酸ナトリウム又は重炭酸ナトリウム及びこれらの混合物と反応させて、二酸化炭素ガスを形成させることができる。二酸化炭素ガスは、泡立ち作用の原因となり、第１移送部材７２０の材料のマトリックス中に適切に配合された場合、第１移送部材７２０の分解に使用することができる。この実施形態では、クエン酸のような酸は、ウィッキング部材７１２に含浸することもできる。ウィッキング部材７１２に沿って流れる湿り事象からの水分に接触すると、クエン酸が溶解して、第１移送部材７２０に向かって流れるにつれて、水分のｐＨを下げることができる。炭酸ナトリウム又は重炭酸ナトリウム（又はこれらの混合物あるいは他の適切な発泡剤）のいずれかを好適な可溶化剤（乳化剤、界面活性剤、親水性溶媒）とともに含有する結果として、低ｐＨ水分が第１移送部材７２０に接触するときに、発泡反応が開始される。結果として生じる第１移送部材７２０内のｐＨ変化を用いて、第１移送部材７２０に含有されるｐＨ指示薬による可視表示を引き起こすことができる。加えて、そのガス生産反応を用いて、第１移送部材７２０の構造を分解することができ、第２湿り事象からの水分を第２移送部材７３０に向けて吸い上げられるようになる。
【００５８】
別の実施形態では、ウィッキング部材７１２は、本明細書で説明されたようなｐＨ指示薬又は表示構成成分などの色変化剤でコーティングされてよい。あるいは、ウィッキング部材７１２は、水分との接触の後で色変化が生じるように、表示組成物でコーティングされてよい。このようにして、第１排尿事象中に、ウィッキング部材７１２に沿ってこの第１移送部材７２０の点まで、可視表示を生じさせることができ、第１移送部材７２０は、第１排尿事象の時間中は水分の流れを停止するように構成することができる。また、上の説明のように、第１移送部材７２０は、第１湿り事象の後で溶解するように構成することができる。同様に、第２湿り事象中に、第１移送部材７２０と第２移送部材７３０の間のウィッキング部材７１２は、第２湿り事象の可視表示を示すことができる。
【００５９】
別の実施形態では、湿り事象の数値表示が目に見えるように提示されるように、数字が、バックシート又はトップシート上で第１移送部材７２０及び第２移送部材７３０の隣に、永久的に印刷されていてよい。例えば、表記＃１が、吸収性物品のバックシート上で第１移送部材７２０に隣接して印刷され、第１湿り事象が生じると、表記＃１が介護人に強調されるようにすることができる。同様に、表記＃２は、第２移送部材７３０に関連付けでき、第２湿り事象が生じると、介護人に強調することができる。
【００６０】
加えて、表記＃１及び＃２は、本明細書で説明された実施形態のいずれにも同様に適用可能である。その表記には更に、本明細書で説明された第３及び第４表示部材に関連付けられた＃３及び＃４が含まれてよい。表記は物品上に印刷されてよい。例えば、表記は、トップシート、バックシート、コア、又はこれらの組み合わせの上に印刷されてよい。加えて、表記が表示部材そのものの上に印刷されていてよく、それに対応する湿り事象が生じると、表記が介護人に目に見えるように提示される。
【００６１】
表示部材は、複数の層を含んでよい。例えば、複数の層は、実質的に同心状、実質的に円盤状、又は多数の異なる形状、例えば概ね環形状又は概ね球形状であってもよい（球形状の場合には、各球体の中心を通る断面が示される）。当該技術分野において既知のいかなる形状も、層に対して使用可能である。
【００６２】
図８Ａに示すように、トイレトレーニング準備表示手段６０は、単一の表示部材８７０を含んでよい。図８Ｂ及び８Ｃは、本発明が、第１表示部材／区域を含み得る複数個の湿り表示部材又は区域を包含してもよく、第１湿り事象は、第１表示部材／区域８１０を活性化し、これにより、第１表示部材／区域８１０が、第１信号を提供することを論証している。幾つかの実施形態では、第１信号は、可視表示、即ち第１湿り事象が生じると出現するものにすることができる。幾つかの実施形態では、第１信号は、妨害される表示、即ち第１湿り事象が生じると妨害されるものにすることができる。例として、第１信号は、物品のバックシート上での色の変化、又は出現とすることができる。続いて、第２湿り事象が、第２表示部材／区域８２０を活性化してよく、これにより、第２表示部材／区域８２０が、第２信号を提供する。第２信号は、第１信号と同様に構成することができる。即ち、第２信号は、第２湿り事象が生じると、出現する又は妨害されるものにすることができる。例えば、第２信号は、第１可視表示と別個の可視表示が包含されてよく、又は第２可視表示が、第１信号の形状、大きさ、若しくは色を変化させてよい。
【００６３】
トイレトレーニング準備表示手段は、第１表示部材８１０及び第２表示部材８２０に加えて、第３表示部材８３０、第４表示部材８４０などを更に含んでよい。
【００６４】
図９Ａ及び９Ｂに示すように、単一の表示部材８７０、又は複数個の湿り表示部材８１０、８２０、８３０、８４０などのいずれかが、第１反応性要素９１０、及び第１反応性要素９１０によって包囲される第２反応性要素９２０を含んでよい。単一の表示部材８７０は更に、第３反応性要素９３０及び第４反応性要素９４０を含んでよく、第３反応性要素９３０が、第２反応性要素９２０により包囲され、第４反応性要素９４０が、第３反応性要素９３０により包囲されている。
【００６５】
表示部材は、非反応性部分又は非反応性要素９９０によって完全に又は部分的に封入された反応性要素を含んでよい。表示部材が反作用要素を含む場合には、第１反応性要素９１０は、これに対応する反作用要素を完全に又は部分的に封入してもよいことに留意されたい。反応性要素、反応性層、又は反作用要素の部分的封入は、水分による時期尚早の活性化から十分に保護しても、しなくてもよい。
【００６６】
別の実施形態では、第１、第２、第３、及び第４表示部材は、バックシートの内側表面に隣接して配置されてよい。反応性要素９２０、９３０、及び９４０は、それらのバックシートに面する表面は露出しているが、着用者に面する表面は露出していない。例えば、直交方向又は長手方向のいずれかからの水分が、第２反応性要素９２０を時期尚早に活性化しないように、第２表示部材８２０の第１非反応性部分９９１が、第２反応性要素９２０を覆ってよい。同様に、第３及び第４表示部材８３０及び８４０用の、非反応性要素又は部分９９２、９９６それぞれが、第３及び第４反応性要素９３０及び９４０をそれぞれ覆ってよい。非反応性要素又は部分によりもたらされる被覆は、反応性要素の時期尚早の活性化を妨げることができる。したがって、第１湿り事象からの水分は、第２、第３、及び第４表示部材８２０、８３０、及び８４０の反応性要素を時期尚早に活性化することなく、第２、第３、又は第４表示部材８２０、８３０、及び８４０に直交方向、長手方向、又は横方向から接触することができる。
【００６７】
これまで説明した実施形態では、着用者によりもたらされた水分は、存在する場合には、非反応性部材及び非反応性区域を溶解できることに留意されたい。例えば、トイレトレーニング準備表示手段は、水分源からの水分を５分間保持する吸収性物品の区域に露出させることができる。この例の非反応性要素及び非反応性区域は、１０分間未満では溶解しないように選択することができる。この方法では、トイレトレーニング準備表示手段は、第１湿り事象と第２湿り事象との間を区別してよい。
【００６８】
好適な非反応性要素、非反応性部分、バリア層、及び保護層は、所与の分子の親水性特性対疎水性特性の相対比に依存して種々の速度で溶解する、界面活性剤類及び乳化剤類などの様々な物質を包含してよい。例えば、分子量が約１０００の固体ポリエチレングリコールは、尿に非常に可溶性であって、急速に溶解する。逆に、固体の疎水性パラフィン又は微晶性ワックスは、尿に実質上溶解度を有さない。加えて、様々な化学等級の分子が、所望の速度で可溶化するように設計可能である。例えば、ステアリルアルコールと呼ばれる脂肪族アルコールは、疎水性のＣ１８アルキル鎖により支配される分子のために、尿中で非常にゆっくり溶解する。ステアリルアルコール中のヒドロキシル基が分子に対して幾分かの親水性を寄与するが、分子構造は、疎水性のアルキル鎖により支配される。尿中での溶解度を高めるために、ステアリルアルコールのヒドロキシル基が、様々な程度にエトキシ化されて、尿中のその溶解度を増大させることができる。一般に、より多くのエトキシレートがステアリルアルコールのＣ１８アルキル鎖に反応されるにつれて、その分子は、尿中でより可溶性になる。このように、ステアリルアルコールの溶解度特性は、エトキシ化の程度に依存して異なる速度で溶解するように調節することができる。ユニケマ（Uniqema）（米国デラウェア州ウィルミントン（Wilmington））は、アルキル鎖の長さとエトキシ化の程度に依存して尿中で異なる速度で溶解する、様々なエトキシ化脂肪族アルコールを製造している。エトキシ化アルコールだけに限定されるものではなく、尿に接触後、所望及び最適の速度で溶解するように構成可能な、他の多数の界面活性剤、乳化剤、一般等級の分子、及びこれらの組み合わせがある。
【００６９】
非溶解性で非反応性の要素、非反応性の部分、バリア層、及び保護層として、ワックスのような非極性物質、ポリエチレン、高分子量の脂肪族アルコール及び脂肪酸、並びに他の疎水性物質などが挙げられてよいが、これらに限定されない。尿中で一般に高溶解性の固体には、エトキシ化アルコール、ポリエチレングリコール、ポリビニルアルコール、水溶性無機塩、及び他の親水性物質などの極性物質、並びに乳化剤、可溶化剤、界面活性剤、及びポリマーが挙げられるがこれらに限定されないその他の親水性物質がある。本明細書で説明される実施形態で作用可能ないかなる好適な親水性物質も、本発明中で利用できる。
【００７０】
別の方法としては、湿り事象からの水分により接触される非反応性要素、非反応性部分、バリア層、及び保護層は、これらが第１湿り事象からの水分を吸収し、次に水分を脱着して乾ききるように、選択することができる。乾ききると、非反応性部材及び区域は、割れ目を、例えば亀裂、クレバス、開口部、ひび割れ、裂けなどをその中に形成する場合があり、後の湿り事象からの水分がその割れ目を通過できるようになる。したがって、後の湿り事象において、水分が、以前の非反応性要素又は非反応性区域に形成された割れ目を通って、反応性要素、非反応性要素、又は非反応性区域に到達することができる。本明細書で説明するように、逆の反応が使用されてもよく、この場合、非反応性要素は、第１湿り事象からの水分を吸収して拡大し、その結果破壊されることにより、後の湿り事象からの水分が次の反応性要素に到達することができる。
【００７１】
非反応性要素、非反応性部分、バリア層、及び保護層として使用するのに好適な、乾ききった後で割れ目を形成する材料には、粘土がある。粘土は、その構造内の湿分含量に依存して収縮及び膨張することが知られている部類の材料である。実際、非常に乾いた状態において、粘土は、亀裂及び割れ目を作って、尿流れ用の毛管経路を作り出すことができる。モンモリロナイト粘土は、そのマトリックス中の水分含量に依存して劇的に膨張及び収縮することが知られている。ｐＨ又はカルシウムイオン濃度の関数として膨張及び収縮する別の新規物質には、フォリサムがある。これは、葉を栄養成分損失から防御するための、植物内で見出されるタンパク質凝集体である。架橋ポリアクリレートも、非反応性要素、非反応性部分、バリア層、及び保護層内で使用するのに好適である。更に、ＡＧＭ材料は、膨張及び破裂することがあるため、本発明において有用である。
【００７２】
非反応性要素、非反応性部分、バリア層、及び保護層は、反応性要素の時期尚早の活性化を妨げるその能力が過剰でないように、特定の大きさであることを必要としてよい。例えば、非反応性要素は、着用者の平均的な排尿又は排便に関するデータに一致する大きさにされてよい。任意に、表示部材は、非反応性要素又は区域の容量を超える水分が吸収性コアにより吸収されるように、物品内で戦略的に配置されてよい。
【００７３】
本発明の実施形態は、湿り事象の累積計数を可能にする。具体的には、第１表示部材８１０の部分は、湿り事象の可視表示を提供して、その可視表示を引き続く湿り事象にわたって維持することができる。同様に、第２、第３、及び第４表示部材８２０、８３０、及び８４０も、それらの可視表示を引き続く湿り事象の間に維持することができる。しかしながら、表示部材は、前の湿り事象からの可視表示が引き続く湿り事象により影響を及ぼされるような構成にすることができる。
【００７４】
前の湿り事象からの可視表示が引き続く湿り事象により影響を及ぼされるように表示部材を構成することのできる本発明の実施形態が、異なる多数の方法で発生してもよい。例えば、引き続く湿り事象は、前の可視表示を消す、又は前の可視表示をマスクする若しくは覆う、又は前の可視表示を妨害することによって、前の可視表示に影響を及ぼしてもよい。別の例では、引き続く湿り事象が、前の可視表示の色、コントラスト、色調、形状、大きさ、又はこれらの組み合わせを変化させることによって、前の可視表示に影響を及ぼしてもよい。
【００７５】
この実施形態における表示部材のそれぞれは、反応性要素、即ち第１反応性要素９１０、第２反応性要素９２０、第３反応性要素９３０、及び第４反応性要素９４０を含む。しかしながら、第１、第２、及び第３表示部材８１０、８２０、及び８３０はそれぞれ、反作用要素を更に含んでよい。具体的には、第１表示部材８１０は、第１反作用要素を更に含んでよく、第２表示部材８２０は、第２反作用要素を更に含んでよく、第３表示部材は、第３反作用要素を含んでよい。
【００７６】
この実施形態における表示部材の作用は、上記のものに類似している。先の説明のように、第１湿り事象からの水分は、第１反応性要素９１０を活性化して、第１湿り事象の可視表示が第１反応性要素９１０により提供されるようにすることができる。しかしながら、第２湿り事象からの水分が、第１反作用要素を活性化し、これにより、第１反作用要素を第１反応性区域９１０により提供された可視表示に影響させることができる。第１反作用要素は、第２湿り事象を超えて引き続く湿り事象が第１反作用要素に影響を及ぼさないように選択できることに留意されたい。
【００７７】
同様に、第３湿り事象からの水分は、第２反作用要素を活性化し、これにより、第２反作用要素を第２反応性要素９２０により提供された可視表示に影響させることができる。第１反作用要素と同様に、第２反作用要素は、第３湿り事象を超えて引き続く湿り事象が、第２反作用要素に影響を及ぼさないように構成することができる。
【００７８】
第４湿り事象からの水分は、第３反作用要素を活性化し、これにより、第３反作用要素を第３反応性要素９３０により提供された可視表示に影響させることができる。第１反作用要素及び第２反作用要素と同様に、第３反作用要素は、第４湿り事象を超えて引き続く湿り事象が第３反作用要素に影響を及ぼさないように構成することができる。
【００７９】
前の湿り事象の可視表示が引き続く湿り事象により影響を及ぼされ得る本発明の別の実施形態は、第１保護層、第１反応性層、第２保護層、及び第２反応性層を含み得る、第１表示部材８１０を包含する。第１湿り事象からの水分が、第１保護層を貫いて移動して、第１反応性層を活性化し、第１湿り事象を示す可視表示が提供されるようにする。第２保護層は、第１湿り事象からの水分が第２反応性層を活性化しないような位置にすることができる。しかしながら、第２湿り事象からの水分は、第２保護層を貫いて移動して、第２反応性層を活性化してよい。第２反応性層が活性化されると、第１反応性層によって提供される可視表示は、上記のように変化することができる。
【００８０】
追加の保護層が、必要に応じて、後の表示部材に追加されてよい。あるいは、後の表示部材用の個々の保護層は、多重湿り事象の水分で反応性層が活性化するのを妨げるように選択することができる。
【００８１】
本発明の表示部材は、適正な反応性要素、反応性層、又は反作用要素が特定の湿り事象からの水分により活性化されるように構成されるべきである。例えば、第２表示部材の反応性要素は、第２湿り事象からの水分により活性化されるべきである。したがって、第２表示部材は、第１湿り事象からの水分が第２表示部材の反応性要素を活性化しないように構成されるべきである。表示部材のそれぞれの反応性要素、反応性層、又は反作用要素が適切な湿り事象からの水分により活性化されるように表示部材を構成する、多数の方法がある。
【００８２】
表示手段ポップアップのような可視表示を生み出すために、移送部材の拡大を利用した実施形態が考えられる。例えば、トイレトレーニング準備表示手段は、幾つかの実施形態では、乾燥時に、使い捨て吸収性物品のバックシートを通して目に見える、第１表示部材を含んでよい。トイレトレーニング準備表示手段は、第１表示部材に隣接して配置された第１拡大部材を更に含んでよい。幾つかの実施形態では、第１拡大部材は、第１表示部材を包囲することができる。
【００８３】
第１湿り事象が生じると、第１拡大部材は、第１表示部材が使い捨て吸収性物品のバックシートから離れて動くように拡大することができる。使い捨て吸収性物品のバックシートから離れて動く際に、第１表示部材は、使い捨て物品のバックシートを通して見えにくくなる。使い捨て吸収性物品は、複数の表示部材及び拡大部材を含んでよい。表示部材及び拡大部材は、上の説明のように、また引き続く湿り事象が生じると、拡大部材が拡大して、表示部材がもはや使い捨て吸収性物品のバックシートを通して見えなくなるように構成することができる。
【００８４】
使い捨て吸収性物品が乾燥状態であるときに、第１表示部材が見えないという実施形態が考えられる。その代わり、湿り事象が生じると、第１拡大部材が拡大して、第１表示部材がバックシートを通して見えるようになる。
【００８５】
図１０に示すように、トイレトレーニング準備表示手段１１００は、幾つかの実施形態では、多数の表示セル１１１２、１１１４、１１１６、１１１８、及び１１２０を含んでよい。幾つかの実施形態では、拡大表示手段が、それぞれの表示セルの中に配置される。拡大表示手段は、１１４０、１１４２、１１４４、１１４６、及び１１４８で示される。それぞれの表示セルの間には、隔壁を置くことができる。例えば、図示のように、隔壁１１５０は、第１表示セル１１１２と第２表示セル１１１４の間とすることができる。
【００８６】
幾つかの実施形態では、着用者又は介護人は、トイレトレーニング準備表示手段１１００の開始タブ１１２２を取り外すことができる。開始タブ１１２２を取り外すことによって、第１拡大表示手段１１４０を、トイレトレーニング準備表示手段１１００が経験するいかなる水分に対しても露出することができる。幾つかの実施形態では、介護人又は着用者は、開始タブを取り外す必要がないこともある。第１湿り事象が生じると、拡大表示手段１１４０が拡大し、これにより、第１表示セル１１１２と第２表示セル１１１４との間の隔壁１１５０を破壊することができる。第１表示セル１１１２と第２表示セル１１１４との間の隔壁１１５０が破壊されることにより、第２湿り事象からの液体が、第２拡大表示手段１１４２に接触してこれを活性化することができるようになる。
【００８７】
第１拡大表示手段１１４０と同様に、第２湿り事象が生じると、第２拡大部材１１４４が拡大し、これにより、第２表示セル１１１４と第３表示セル１１１６との間の隔壁１１５２を破壊することができる。第２表示セル１１１４と第３表示セル１１１６との間の隔壁１１５２が破壊されることにより、第３湿り事象からの液体が、第３拡大表示手段１１４４に接触してこれを活性化することができるようになる。隔壁１１５４、１１５６等も本発明において検討される。
【００８８】
拡大部材又は拡大表示手段用に上で列挙したいかなる好適な材料も、これらの実施形態で利用可能である。例えば、拡大部材及び／又は拡大表示手段は、ＡＧＭを含んでよい。
【００８９】
これまでに説明された反応性要素及び反応性層は、複数個の粒子又は印刷されたパターンの構成成分などの複数個の構成成分を含んでよい。例として、反応性要素には、本発明の反応性要素及び反応性層の全てに加えて、表示構成成分及び尿感応性構成成分が含まれてよく、これらがともに機能して、湿り事象数の視覚表示を介護人に提供する。尿感応性構成成分は、湿り事象、即ち排尿からではない水分が表示の引き金にならないように利用されてよい。例えば、尿感応性構成成分は、着用者からの発汗が湿り事象の可視表示の引き金にならないように利用されてよい。尿感応性構成成分は、非反応性要素、非反応性部分、バリア層、及び保護層に関して説明された物質と組み合わせて使用可能であることに留意されたい。
【００９０】
一実施形態では、表示構成成分は、尿感応性構成成分中に懸濁した粒子の形態であってよい。湿り事象からの水分が、尿感応性構成成分を活性化することができ、これにより、表示構成成分に湿り事象の可視表示を提供させる。表示構成成分と尿感応性構成成分は、別個の相互に異なる構成成分にすることができる。
【００９１】
反応性要素９１０又は反応性層は、基材若しくは担体要素の上又は内に配置されてよい。担体要素は、フィルム、織布若しくは不織布材、発泡体、スクリム、又はセルロース系材料などのウェブ状構成要素を含んでよく、これに、尿感応性構成成分又は要素が付加又は固着される。あるいは、担体要素は、尿感応性構成成分を包囲又は封入して、使用前又は使用中の物品内の移動又は損失を防いでよい。担体要素はそれぞれ、それ自体の上に折り曲げ返された１つの層を含んでよく、又はそれぞれが、複数の層を含んでよい。２つ以上の層が使用される場合、様々な層は、異なる特性を有してよく、又は異なる材料を含んでよい。例えば、尿感応性構成成分は、浸透性の上（即ち、着用者に面する）層と不浸透性の下層との間に配置されてよい。表示構成成分は、尿感応性構成成分の中に懸濁した粒子の形態であってよい。別の方法としては、上層は、選択的に浸透性の層、溶解性層、ｐＨ感受性層、又はコーティングを含んでよい。担体要素は、可撓性であってよく、あるいは比較的剛性であってよい。
【００９２】
反応性要素９１０の表示構成成分は、着色剤、染料、又は尿と接触すると外観（例えば、色）が変わる表示手段を含んでよい。好適な表示構成成分の例として、食品、医薬品及び化粧品用Ｎｏ．１ブルーのような食品等級の染料、並びにブロモクレゾールグリーン、ブロモフェノールブルー、及びレザゾリンなどのｐＨ指示薬が挙げられる。表示要素及び／又は表示部材に関してこれまでに説明された物質が含まれるいかなる好適な表示構成成分も利用できる。
【００９３】
更には、前述の方法のいずれかが、単独で又は組み合わせて使用されてよい。例えば、本発明のトイレトレーニング準備表示手段は、単一の表示部材又は複数の表示部材を含んでよい。単一の表示部材８７０は、第１湿り事象に対して第１信号を提供し、及び第２湿り事象に対して第１信号と異なる第２信号を提供することができる。例えば、第１湿り事象が、黄色の可視表示である第１信号を引き起こしてよく、一方、第２湿り事象が、青色又は緑色の別個の可視表示である第２信号を引き起こしてよい。したがって、介護人は、第１及び第２湿り事象にそれぞれ対応する、黄色表示及び青色表示を見ることができる。更に別の例では、第２信号は、第１信号を変更して、例えば黄色が青色と組み合わさって緑色を形成して、第２湿り事象の単一の可視表示を提供することができる。
【００９４】
第１湿り事象に対して第１表示が提供され、湿り事象の数が１を超えるときに引き続く表示が提供されるという実施形態が、考えられる。また、第１湿り事象に対して第１表示が提供され、第２湿り事象に対して第２表示が提供され、及び湿り事象の数が２を超えるときに引き続く表示が提供されるという実施形態が、考えられる。
【００９５】
加えて、図柄又は可視表示が最初に存在して、湿ったときに妨害されるという実施形態が、考えられる。例えば、使い捨て吸収性物品は、乾燥時に、青色の複数の可視表示を提供する、複数の表示部材を含んでよい。第１湿り事象が生じると、第１表示部材は、第１表示部材の可視表示がバックシートを通して妨害されるように、消散することができる。同様に、第２湿り事象が生じると、第２表示部材の可視表示は、第２表示部材の可視表示がバックシートを通して妨害されるように、消散することができる。
【００９６】
乾燥時に可視表示を提供して、湿り時に表示が妨害される又は無くなるいかなる好適な物質も、利用可能である。例えば、表示部材は、使い捨て物品が乾燥状態にあるときに見ることができて、湿ったときに消散するインクを含んでよい。幾つかの好適な例に、サンケミカル（Sun Chemical）（登録商標）から表記ＣＲＮＦＳ５６１１７９で入手可能なインク、及びビデオジェット（Videojet）（登録商標）から表記５３０７で入手可能なインクが挙げられる。
【００９７】
最初に存在して湿ったときに妨害される図柄又は可視表示を包含する他の実施形態が、考えられている。例えば、使い捨て吸収性物品は、乾燥時に、黄色の可視表示を提供する複数の表示部材を含んでよい。第１湿り事象が生じると、第１表示部材の可視表示が、青色に変わることができる。幾つかの実施形態では、活性化された色が背景の色と区別不能であるように、表示部材の活性化色と一致する第１色、例えば青色を、背景が含んでよい。例えば、表示部材は、乾燥時に黄色の表示を、及び活性化時に青色の表示を提供することができる。このように、例として、青色の背景を選定して、湿り事象が生じると、青色の表示が青色の背景と区別不能であるようにすることができる。別の実施形態では、表示手段は、膨張可能な材料を含んでよく、湿ると、この材料が拡大して表示手段上の図柄を覆い、図柄が目に見えなくなる。
【００９８】
乾燥時に可視表示を提供して、湿り時に異なる可視表示を提供する、いかなる好適な物質も利用可能である。例えば、幾つかの物質は、上の例での説明のように、乾燥時には最初に黄色の表示を提供することができるが、湿ると、青色の可視表示を提供することができる。乾燥時に第１可視表示を提供して、湿り時に（第１可視表示と異なる）第２可視表示を提供できる、物質の幾つかの好適な例に、ボスティク（Bostik）（登録商標）から入手可能な表記Ｈ９２１９−０１、Ｈ９０５２、及びＨ９１３３−０５で販売されるものがある。
【００９９】
幾つかの実施形態では、第１表示部材は、第１色を形成する２つの染料の組み合わせを含んでよい。例えば、それらの染料は、第１染料又は第２染料が水溶性であるように選択できる。したがって、湿り事象が生じると、第１染料又は第２染料は、溶解することができる。これが生じる際に、可視表示は、第１色から第２色へ変化することができる。例として、２つの染料は、可視表示の第１色が緑色であるように、黄色と青色を含んでよい。湿り事象が生じると、青色染料が溶解して黄色染料が溶解しないように、青色染料を選択することができる。このようにして、湿り事象が生じると、可視表示が、緑色から黄色に変化することができる。別の実施形態では、図柄は、湿り事象が生じると溶解するフィルムで覆われてよく、湿り事象の後に図柄が出現する。
【０１００】
別の実施形態では、表示部材は、フィルムなどの可撓性基材にストライプ又は層として塗布された尿感応性構成成分を含んでよい。表示部材又はそのいずれかの構成成分が機械的応力で亀裂を起こして擬陽性又は擬陰性につながるのを防ぐために、グリセロールジアセテートなどの可塑剤が使用されてよい。トイレトレーニング準備表示手段に関連して、可塑剤は、尿感応性構成成分中で少なくとも部分的に可溶性又は混和性であり、構成成分が結晶化領域を形成する傾向を低減し、これにより、構成成分のガラス転移温度を低下させ、物品の使用が考えられている温度範囲で可撓性を上昇させる、いかなる化合物又は組成物を含んでもよい。好適な可塑剤の非限定的な追加例として、グリセロール及びポリエチレングリコールなどのポリヒドロキシ化合物、微晶性ワックス、エチレンビニルアセテート、イソパラフィン、ゲルベ・アルコール（Guerbet alcohol）、分枝状エステル、分枝状アルコール、及び上で説明されたものなどの他の化合物が挙げられる。
【０１０１】
表示部材又はそのいずれかの構成成分、成分、若しくは層は、当該技術分野で既知のいずれかの手段によって、物品若しくはそのいずれかの構成要素などの基材に、又は担体要素に塗布されてよい。液体又は溶融状態の表示部材、その構成成分、又はその要素を、連続モード、断続モード、又はパターンいずれかで基材に塗布するのに好適な方法として、スロットコーティング、グラビア印刷、インクジェット印刷、スプレー、スクリーンなどが挙げられる。表示部材、その構成成分、その成分、又はその層は、フィルム、ウェブ、繊維、又は粒子などの固体の形体で、連続的巻き戻しプロセス、カットアンドスリップ（cut & slip）プロセス、気流付着などにより、基材又は物品に付加されてもよく、また物理的なもつれ、嵌り込み、接着剤、又は当該技術分野で既知のいずれか他の手段によって、基材に結合されてもよい。
【０１０２】
尿感応性構成成分は、好ましくは、尿の存在で特性を変化するものであり、又は少なくとも部分的に尿が透過性である。例えば、尿感応性構成成分は、尿の存在で溶解してよく、又はより浸透性になってよい。尿感応性構成成分は、尿のいずれかの構成成分又は特性を感知又は反応してよく、それらは水、イオン含有量、有機化学物質含有量、イオン強度、ｐＨ、酵素、尿素などを包含する。尿感応性構成成分中で使用するのに好適な物質として、デンプン及び砂糖、ポリビニルアルコール（その場で形成したフィルム及び前もって製造したフィルム）、ゼラチン、及び他の水又はｐＨ可溶性フィルム若しくは物質などが挙げられる。他の好適な物質には、米国特許第４，０２２，２１１号明細書、同第４，７４３，２３８号明細書、同第５，０６６，７１１号明細書、同第５，３４２，８６１号明細書、同第４，６８１，５７６号明細書、同第５，０３５，６９１号明細書、同第４，２３１，３７０号明細書、同第４，８９５，５６７号明細書、及び同第６，０７５，１７８号明細書に記載されるものを包含する、ホットメルト湿り度インジケータ、水溶性ダイシステムなどの、当該技術分野で既知の湿り度又は尿表示組成物が挙げられる。追加的に、「着色剤保持を改善した湿り度インジケータ（Wetness Indicator Having Improved Colorant Retention）」についての米国特許第６，７７２，７０８号明細書に記載されるものなどの新規尿表示組成物が、尿感応性構成成分として使用されてよい。例えば、尿感応性構成成分は、ステアリルアルコール、微晶性ワックス、エトルキシ化アルコール（etholxylated alcohol）、カチオン性四級アミン、又はこれらの混合物、及びｐＨ指示薬などの表示構成成分を含んでよい。別の例では、尿感応性構成成分は、乾燥状態に対して湿り状態で異なる光学特性（例えば、コントラスト）を有する物質又は合成物を含んでよい。この例の場合、バックシートを通して見るとき、湿り時により暗く見える永久インクで印刷されたパターンを有するフィルム又は組織を、尿感応性構成成分が包含してよく、これにより、表示構成成分の必要性がなくなる。
【０１０３】
反作用要素として使用するのに好適な物質には、非反応性部材に好適であるとして列挙された物質、表示構成成分に好適であるとして列挙された物質、尿感応性構成成分に好適であるとして列挙された物質、又はそれらのいずれかの組み合わせがある。任意に、反作用要素は、表示部材の可視信号を変更するための、当該技術分野において既知のいずれかの物質を含んでよい。
【０１０４】
本明細書で説明された異なる信号又は異なる可視表示は、異なる色、形状、デザイン、パターン、又はこれらの組み合わせとすることができる。それに加えて、異なる信号又は異なる可視表示は、他の信号から長手方向又は横方向に変位されていてよく、またその信号と同じ又は異なる色、形状、デザイン、パターンとすることができる。例えば、第１信号は、黄色のドットを含んでよい。第２信号も、同様に黄色のドットを含んでよいが、第２信号が、第１信号から長手方向又は横方向に変位されていてよい。
【０１０５】
これまでに説明した実施形態及び実施例は、湿り事象の可視表示を提供するトイレトレーニング準備表示手段の信号を開示するものであるが、本発明の信号は、先の説明のように異なる多数のタイプの表示を包含することができる。可視、可聴、触覚、臭覚、又はこれらの組み合わせの表示を含む信号に関して、上で説明されたものに類似の実施形態及び実施例が、利用可能である。例えば、米国特許第５，３８７，２０７号明細書、同第５，６５０，２２２号明細書、同第６，０１３，５８９号明細書、及び同第６，０８３，２１１号明細書にて更に説明されているような大表面積発泡体が、湿り事象の触覚表示を提供するために使用可能である。可視、臭覚、可聴、又は触覚表示を作り出す、当該技術分野において既知のいずれかの装置、化学現象などが、本発明で使用可能である。
【０１０６】
更に、本発明は、トイレトレーニング準備の表示の方法に関する。この方法には、ａ）トイレトレーニング準備表示手段を含む吸収性物品を、着用者の胴体下部周りに配置する工程、ｂ）湿り事象が発生したかどうかを判断するために、着用中に吸収性物品をチェックする工程、及びｃ）所定の期間内に発生した湿り事象の数、第１湿り事象までの時間、及び前記吸収性物品の区域にわたる前記表示手段の活性化の拡大からなる群から選択される信号に基づいて、着用者がトイレトレーニングの準備が整っているかどうかを判断する工程を包含してよい。この方法は、表示手段上の保護ストリップを取り外すことによって、表示手段の開始時間を開始する工程を更に含んでよい。この方法は、表示手段を圧迫することによって、表示手段の開始時間を開始する工程を更に含んでよい。
【０１０７】
本明細書で説明した吸収性物品の製造には、様々な材料が使用可能である。吸収性物品の製造において使用できる材料の幾つかの例を以下に提示するが、提示される材料の列挙は、決して包括的ではない。例えば、吸収性物品において広範に使用される通気性材料としては、織布ウェブ、不織布ウェブ、フィルムコートされた不織布ウェブのような複合材料、三井東圧社（Mitsui Toatsu Co.,）（日本）により表記エスポワール（ESPOIR）ＮＯ（商標）で製造されるもの、及びエクソンケミカル社（Exxon Chemical Co.,）（米国テキサス州ベイシティ（Bay City））により表記エクサエール（EXXAIRE）（商標）で製造されるもののようなミクロ孔質フィルム、及びクロペイ社（Clopay Corporation）（米国オハイオ州メイソン（Mason））により名称ハイトレル（HYTREL）（商標）ブレンドＰ１８−３０９７で製造されるもののようなモノリシックフィルムなどの材料を挙げてよい。幾つかの通気性複合材料が、米国特許第６，１８７，６９６号明細書、米国特許第５，９３８，６４８号明細書、米国特許第５，８６５，８２３号明細書、及び米国特許第５，５７１，０９６号明細書により詳細に記載されている。
【０１０８】
バックシートは、一般に、その中に吸収して封じ込められた排出物がベッドシーツや下着など、おむつと接触する可能性がある物品を汚すのを防止する、吸収性コアの衣類に面する表面に隣接して配置されたおむつの部分である。トップシートは、好ましくは、吸収性コアの身体に面する表面に隣接して配置され、また当該技術分野で既知のいずれかの取付け手段により吸収性コア及び／又はバックシートに接合されてよい。トップシート、バックシート、及び吸収性コアは、米国特許第３，８６０，００３号明細書、米国特許第５，１５１，０９２号明細書、米国特許第５，２２１，２７４号明細書、米国特許第５，５５４，１４５号明細書、米国特許第５，５６９，２３４号明細書、米国特許第５，５８０，４１１号明細書、及び米国特許第６，００４，３０６号明細書にて広く更に説明されているように、様々な構成に組み立てられてよい。
【０１０９】
吸収性コアは、ほぼ圧縮性であり、順応性があり、着用者の皮膚に刺激がなく、並びに尿及び他のある種の身体排出物などの液体を吸収して保持できる、いかなる吸収性材料含んでもよい。吸収性コアは、多種多様な大きさ及び形状で製造されてよく、並びに一般にエアフェルトと呼ばれる粉砕木材パルプなどの、使い捨ておむつ及び他の吸収性物品において一般に使用される、多種多様な液体吸収性材料を含んでよい。その他の好適な吸収性材料の例には、捲縮セルロース塊、コフォームを包含しているメルトブローンポリマー、化学的に剛化、変性、若しくは架橋されたセルロース繊維、ティッシュラップ及びティッシュ積層体が含まれるティッシュ、吸収性発泡体、吸収性スポンジ、超吸収性ポリマー、吸収性ゲル材料、又は他のいずれか既知の吸収性材料、又は材料の組み合わせが挙げられる。吸収性コアとして使用するための代表的な吸収性構造が、米国特許第４，６１０，６７８号明細書、米国特許第４，６７３，４０２号明細書、米国特許第４，８３４，７３５号明細書、米国特許第４，８８８，２３１号明細書、米国特許第５，１３７，５３７号明細書、米国特許第５，１４７，３４５号明細書、米国特許第５，３４２，３３８号明細書、米国特許第５，２６０，３４５号明細書、米国特許第５，３８７，２０７号明細書、及び米国特許第５，６２５，２２２号明細書に記載されている。
【０１１０】
本発明の好ましい一実施形態としては、米国特許出願第２００４／０１６２５３６号及び米国特許出願第２００４／０１６７４８６号に記載された物品が挙げられるが、これらに限定されない。前述の出願は、物品に増大した着用快適感を付与し、薄く乾燥感のあるものにする吸収性コアを有する吸収性物品を目的とする。
【０１１１】
上記のように、おむつはまた、締着装置を包含してもよい。締着装置は、好ましくは、おむつの周囲に横方向の張力をもたらしておむつを着用者上に保持するような配置に、第１腰部区域及び第２腰部区域を維持する。締着装置は、好ましくはテープ状ひも、フック及びループ締着コンポーネント、及び／又は両性締着コンポーネントなどの表面締結具を含み、いずれかの他の既知の締着手段も一般に容認可能である。代替の実施形態では、物品の対向する側面を縫い合わせるか、又は溶着させて、パンツを形成してよい。これにより、この物品が、トレーニングパンツなどのプルオン型おむつとして使用可能になる。
【０１１２】
幾つかの代表的な表面締着装置が、米国特許第３，８４８，５９４号明細書、米国特許第４，６６２，８７５号明細書、米国特許第４，８４６，８１５号明細書、米国特許第４，８９４，０６０号明細書、米国特許第４，９４６，５２７号明細書、米国特許第５，１５１，０９２号明細書、及び米国特許第５，２２１，２７４号明細書にて開示されている。代表的な相互噛み合い締着装置が、同時係属の米国特許第６，４３２，０９８号にて開示されている。また締着装置は、米国特許第４，９６３，１４０号明細書にて開示されているように、物品を処分構成に保持するための手段を提供してもよく、米国特許第４，６９９，６２２号明細書にて開示されているように、一次及び二次締着装置を包含してもよく、米国特許第５，２４２，４３６号明細書にて開示されているように、重なり合う部分のずれを減少するための、又はフィットを改善するための手段を提供してもよく、並びに米国特許第５，４９９，９７８号明細書、米国特許第５，５０７，７３６号明細書、及び米国特許第５，５９１，１５２号明細書にて開示されているように、着用者の腹部で隙間ができるのに抵抗する手段を提供してもよい。
【０１１３】
伸縮性サイドパネルを有するおむつの例が、米国特許第４，８５７，０６７号明細書、米国特許第４，３８１，７８１号明細書、米国特許第４，９３８，７５３号明細書、米国特許第５，１５１，０９２号明細書、米国特許第５，２２１，２７４号明細書、米国特許第５，６６９，８９７号明細書、及び米国特許第６，００４，３０６号明細書にて開示されている。
【０１１４】
好適な吸収性及び非吸収性の副層が、欧州特許第０  ８４７  ７３８（Ａ１）号明細書及び米国特許第５，９４１，８６４号明細書に記載されている。更に、副層又はそのいずれかの部分は、その要素の性能又は他の特性を付加し、強化し、又は変化させる、ローション又は他の既知の物質を包含するか、若しくはそれらでコーティングされてよい。
【０１１５】
本発明の実施形態はまた、排泄物を受け入れ収容するポケット、排泄物のための空隙を提供するスペーサー、物品内での排泄物の動きを制限するバリア、排泄物質を受け入れ収容する区画又は空隙、若しくはそれらのいずれかの組み合わせを包含してもよい。吸収性製品内で使用するためのポケット及びスペーサーの例が、米国特許第５，５１４，１２１号明細書、米国特許第５，１７１，２３６号明細書、米国特許第５，３９７，３１８号明細書、米国特許第５，５４０，６７１号明細書、米国特許第６，１６８，５８４号明細書、米国特許第５，３０６，２６６号明細書、及び米国特許第５，９９７，５２０号明細書に記載されている。区画又は空隙の例が、米国特許第４，９６８，３１２号明細書、米国特許第４，９９０，１４７号明細書、米国特許第５，０６２，８４０号明細書、及び米国特許第５，２６９，７５５号明細書にて開示されている。好適な横方向バリアの例が、米国特許第５，５５４，１４２号明細書、米国特許第６，０１０，４９０号明細書、及び米国特許第５，６５３，７０３号明細書に記載されている。低粘性糞便の管理に特に好適な他の構造体の例が、米国特許第５，９４１，８６４号明細書、同第５，９７７，４３０号明細書、及び同第６，０１３，０６３号明細書にて開示されている。
【実施例】
【０１１６】
使い捨て吸収性物品中で使用するのに好適な表示部材は、次のように構成されてよい。使い捨て吸収性物品に使用するのに好適な他の表示部材については、米国特許出願第１１／１００，６５３号及び同第１１／４００，６３３号に記載されている。
【０１１７】
１．表示組成物は、以下に記す処方及び手順により調製することができる。
【表１】
2010519950.tif 000003
【０１１８】
この尿表示組成物は、まず、適正量のステアリルアルコール、微晶性ワックス、及びステアリルホスフェートを計量して、ステンレス鋼の容器の中へ入れることにより、調製される。ステアリルアルコールは、純度が少なくとも９７％及びアラキジルアルコールが２％以下であって、約５６℃〜約６０℃の範囲の融点を有する、白いワックス状の固体にすべきである。米国オハイオ州シンシナティ（Cincinnati）のプロクターアンドギャンブル社（The Procter & Gamble Company）から入手可能なＣＯ１８９７ステアリルアルコールと表記される製品が、好適な物質の現在の例である。微晶性ワックスは、飽和した分枝状及び環式の非極性炭化水素からなり、約６０℃〜約９５℃の範囲の融点を有する、高分子量の石油系ワックスにすべきである。米国ペンシルベニア州ペトロリア（Petrolia）のクロンプトン社（Crompton Corporation）から入手可能なマルティワックス（MULTIWAX）（商標）Ｗ−８３５と表記される製品が、好適な微晶性ワックスの例である。この混合物は、透き通った透明で色のない溶融混合物になるまで、約１００℃〜約１１０℃の範囲の温度で加熱されて混ぜられる。次に、ジメチル（２−エチルヘキシル水素添加タローアルキル）アンモニウム硫酸メチルが、上の溶融混合物に添加されて、約１００℃〜約１１０℃の範囲の温度で１０分間加熱される。ジメチル（２−エチルヘキシル水素添加タローアルキル）アンモニウム硫酸メチルは、８１．５〜８４．５％の四級塩含量、４％以下の遊離アミン及び遊離アミン塩不純物含量、並びに１７〜１８のＨＬＢを有すべきである。米国イリノイ州シカゴ（Chicago）のアクゾ・ノベル（Akzo-Nobel）から入手可能なアルクアッド（ARQUAD）（商標）ＨＴＬ８（Ｗ）−ＭＳと表記される製品が、現在これらの要件を満たすジアルキルジメチル四級アンモニウム塩の良い例である。この混合物に、ブロモクレゾールグリーンｐＨ指示薬が添加される。得られた混合物が、約１００℃〜約１１０℃の範囲の温度で２０混合、混ぜながら加熱される。最後に、この混合物に、Ｃ２０−Ｃ４０パレス−４０界面活性剤が添加されるが、その界面活性剤は、約１００℃〜約１１０℃の範囲の温度に予め加熱しておく。Ｃ２０−Ｃ４０パレス−４０界面活性剤は、約２２００〜約２４００の間の分子量（Ｍｎ）と、約７５％〜約８５％の範囲の間のエチレンオキシド含量と、約１６のＨＬＢと、約８０℃〜約９４℃の範囲の融点とを有すべきである。米国テキサス州シュガーランド（Sugar Land）のニュー・フェーズ・テクノロジーズ（New Phase Technologies）から入手可能なペルフォマトックス（PERFORMATHOX）（商標）４８０と表記される製品が、これらの要件を満たす好適なＣ２０−Ｃ４０パレス−４０の例である。次に、組成物全体が、透き通った透明で黄橙色になるまで、約１００℃〜約１１０℃の範囲の温度で加熱される。
【０１１９】
２．上の工程１からの組成物の５ｍｍ幅ストライプが、平方メートル当たり２６グラムの坪量及び５ｍｍ幅のコーティングで、厚さが２５マイクロメートル（１．０ミル）のポリプロピレンフィルムの内側表面に塗布される。
【０１２０】
３．工程２からの被膜が固化した後で、１−テトラデカノールの連続層により完全に覆われる。この１−テトラデカノールの層は、平方メートル当たり２６〜３９グラムの間の坪量と１５ｍｍの幅を有する。１−テトラデカノール層は、その幅が表示組成物層の幅のいずれの側にも５ｍｍ延びるような向きにされる。
【０１２１】
本明細書で開示した寸法及び値は、列挙した厳密な数値に狭義に限定されるものとして解釈されるべきではない。それよりむしろ、特に指定されない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【０１２２】
「発明を実施するための形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１２３】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれるすべてのこうした変更及び改変を付属の特許請求の範囲において網羅するものである。
【図１】
2010519950.tif 000004
【図２Ａ】
2010519950.tif 000005
【図２Ｂ】
2010519950.tif 000006
【図２Ｃ】
2010519950.tif 000007
【図３Ａ】
2010519950.tif 000008
【図３Ｂ】
2010519950.tif 000009
【図３Ｃ】
2010519950.tif 000010
【図４Ａ】
2010519950.tif 000011
【図４Ｂ】
2010519950.tif 000012
【図４Ｃ】
2010519950.tif 000013
【図５Ａ】
2010519950.tif 000014
【図５Ｂ】
2010519950.tif 000015
【図５Ｃ】
2010519950.tif 000016
【図６Ａ】
2010519950.tif 000017
【図６Ｂ】
2010519950.tif 000018
【図６Ｃ】
2010519950.tif 000019
【図６Ｄ】
2010519950.tif 000020
【図７】
2010519950.tif 000021
【図８Ａ】
2010519950.tif 000022
【図８Ｂ】
2010519950.tif 000023
【図８Ｃ】
2010519950.tif 000024
【図９Ａ】
2010519950.tif 000025
【図９Ｂ】
2010519950.tif 000026
【図１０Ａ】
2010519950.tif 000027
【図１０Ｂ】
2010519950.tif 000028
【図１０Ｃ】
2010519950.tif 000029
【国際調査報告】
2010519950.tif 000030
2010519950.tif 000031
2010519950.tif 000032